(57)【特許請求の範囲】
【請求項１】
左右の肥料タンクからの肥料を、インジケータを経て各植付け条に設けた施肥ノズルに案内するようにした施肥移植機であって、上記インジケータには、条止めした際の肥料の戻しパイプを各植付け条毎に設けると共に、上記戻しパイプを、左右の施肥タンクに左右交互に配管して条止めした際の肥料を左右の施肥タンクに振り分け還流させることを特徴とする施肥移植機。
【発明の詳細な説明】
【０００１】
【発明の属する技術分野】
本発明は、左右の肥料タンクからの肥料を、インジケータを経て施肥ノズルに案内して各植付け条に施肥するようにした施肥移植機に係るものである。
【０００２】
【従来の技術】
一般に、施肥装置を田植機等に装備した施肥移植機が知られているが、このような施肥移植機は、機体の左右に肥料タンクを設け、この肥料タンクからの肥料を、施肥ポンプで圧送して、インジケータを経て植付部の各植付け条に設けた施肥ノズルに案内し、左側の肥料タンクからの肥料は植付部の左半部に、右側の肥料タンクからの肥料は植付部の右半部に施肥している。
【０００３】
そして、例えば１０条植えの場合、機体が畦際に来て回行する際には、、図５で示すように、最終工程Ａまで苗を植付けることができるようにするため、その前工程Ｂにおいて、次の最終工程Ａで重複することになる植付け条Ｃ（図面では点線で示した４条）を条止めしている。この時、図６（イ）のように、条止めする植付け条に対応したインジケータＤのレバーＥを操作して施肥作業を停止し、条止めした植付け条への肥料は、戻しパイプによって肥料タンクに還流させている。
【０００４】
ところが従来の施肥移植機は、左側のインジケータからの戻しパイプを左側の肥料タンクに、右側のインジケータからの戻しパイプは右側の肥料タンクに配管していた。このため、図６の（ロ）で示すように、右側インジケータＲの４条を条止めした場合、４本の戻しパイプＦによって４条分の肥料を右側のタンクＲに還流させるので、右側のタンクＲに貯留された肥料は、施肥された１条分だけが減少するのに対して、条止めしない左側のタンクＬは、施肥された５条分の肥料がそっくり減少するので、左右の肥料タンクで肥料の残量に格差を生ずることになる。このため、どちらか一方のタンクが空になったりしたときには、作業の途中でも肥料を補給しなければならないという不都合があった。
【０００５】
なお、低粘度の肥料の場合には、左右のタンクをパイプ等で連結して肥料の残量を略均一にすることも提案されるが、高粘度のペースト肥料等にあっては、パイプ等でタンクを連結しただけでは、肥料の残量を均一にするための充分な効果を期待することはできない。
【０００６】
【発明が解決しようとする課題】
本発明は、上記のような問題点を解消すべく創作されたものであって、左右の肥料タンクからの肥料を各植付け条に施肥するものでありながら、所望する植付け条を条止めしても、条止めした植付け条からの戻し肥料を、左右の肥料タンクに均等に振り分け還流させて、左右の肥料タンク内にある肥料の残量を略均一にすることができる施肥移植機を提供しようとするものである。
【０００７】
【課題を解決するための手段】
上記の課題を解決するため、本発明が講じた技術的手段は、左右の肥料タンクからの肥料を、インジケータを経て各植付け条に設けた施肥ノズルに案内するようにした施肥移植機であって、上記インジケータには、条止めした際の肥料の戻しパイプを各植付け条毎に設けると共に、上記戻しパイプを、左右の施肥タンクに左右交互に配管して条止めした際の肥料を左右の施肥タンクに振り分け還流させることを特徴とするものである。
【０００８】
【発明の実施の形態】
次に本発明の実施の形態を、図面に示された好適な実施例に基いて詳細に説明する。まず図１において、１は施肥移植機として例示する施肥装置を備えた乗用田植機の走行機体であって、この走行機体１は、前輪２および後輪３を備えた機体フレームの前部に、ボンネット４で覆われたエンジン部５が搭載され、その後方に運転席６が配設されている。７は操向ハンドルである。
【０００９】
また、走行機体１の後部にはリンク機構８を介して植付部９が昇降自在に装着されている。１０は左右に並設されたプランタケース、１１はプランタケース１０の後部に設けたプランタを取付けるためのプランタ軸であって、その上方には往復横送りされる苗載台が配設されており、植付作動するプランタが苗載台に載置されたマット苗を単位植付株毎に掻取って圃場に植付けるようになっている。１２は田面を滑走するセンターフロート、１３はサイドフロートである。
【００１０】
１４，１５は機体の前部に設けた左右の肥料タンクであって、この肥料タンク１４，１５の底部側には、施肥ポンプによって肥料が圧送される複数条の肥料配管が連結され、後方に向けて延設された上記肥料配管の後端が、運転席の後方に設けた左右のインジケータ１６、１７に連結されている。
【００１１】
本実施例では、左側の肥料タンク１４から延設された５条の肥料パイプ１８が左側のインジケータ１６に連結され、インジケータ１６の吐出側に連結した５条の施肥配管１９が、植付部９の左半部にある各植付け条に設けた５本の施肥ノズル２０に連結されている。
また、右側の肥料タンク１５から延設された５条の肥料パイプ２１は右側のインジケータ１７に連結され、該インジケータ１７の吐出側に装着した５条の施肥配管２２を、植付部９の右半部にある各植付け条に設けた５本の施肥ノズル２０に連結することにより、左右の肥料タンク１４、１５からの肥料を１０本の施肥ノズル２０から施肥する１０条の施肥装置が構成されている。
【００１２】
２３、２４は左右のインジケータ１６、１７を切替える切替レバーであって、この替レバー２３（２４）を水平位置に回動操作したときは、肥料パイプ１８（２１）からの肥料は、インジケータ１６（１７）のバルブ部を通って施肥配管１９（２２）側に送られる作業状態となり、切替レバー２３（２４）を直立位置に回動操作したときは、肥料パイプ１８（２１）からの肥料は、バルブ部から戻しパイプ２５（２６）に送られる施肥停止状態に切替るようになっている。
【００１３】
そして、戻しパイプ２５、２６に送られた肥料は、肥料タンク１４、１５に還流するが、上記戻しパイプ２５、２６が左右の肥料タンク１４、１５に左右交互に配管されていて、戻し肥料を左右の肥料タンク１４、１５に振り分け還流させるようになっている。
【００１４】
すなわち図２において、１６は左側のインジケータ、１７は右側のインジケータであって、左側のインジケータ１６には左半部の植付け条に対応する５本の戻しパイプ２５…が並列状に垂設され、また右側のインジケータ１７には右半部の植付け条に対応する５本の戻しパイプ２６…が並列状に垂設されている。
【００１５】
また、２７は左の肥料タンク１４に肥料を還流させる戻し配管、２８は右の肥料タンク１５に肥料を還流させる戻し配管であって、並列状に配設された上記戻しパイプ２５、２６を左右の戻し配管２７、２８に左右交互に連結することにより、条止めした際の戻し肥料を左右の肥料タンク１４、１５に振り分け還流させるようになっている。
【００１６】
また、図３は左右の肥料タンクをホースで連結すると共に、このホースを機体の前部にある強度部材で保護したものである。すなわち、従来から左右の肥料タンクを連結するホースは有ったが、このような従来のホースは機体の前方下部に暴露した状態であったため、畦等に当接して損傷する惧れがあった。そこで機体の前方下部に、バンパとなる角パイプからなる強度部材２９を設け、左右の肥料タンク３０、３０は、その底部高さＨを強度部材２９の高さhよりも高くなるように設けるとともに、左右の肥料タンク３０、３０を連結するゴムホース３１を、強度部材２９の直後に配管してホース３１を保護するものである。
【００１７】
また、図４は、二段施肥のノズルと側条施肥のノズルとの回動支点を共通の支点軸で構成したものである。従来は、上記両ノズルの回動支点を別に設けていたので、二段施肥機を装着する際に大きなスペースが必要となっていた。そこで回動支点軸を共有化することにより、二箇所に必要であった回動支点を一箇所にして、省スペース化及び重量の軽減を図るものである。
【００１８】
すなわち、３２はフロート３３に設けた側条施肥機の門型をしたベースであって、該ベース３２の開放側に二段施肥ノズル３４の回動支点３５が配置されている。また３６、３６は側条施肥ノズル、３７は上記側条施肥ノズル３６の回動支点軸であって、この回動支点軸３７に二段施肥ノズル３４の回動支点３５を取付ることにより、側条施肥ノズル３６と二段施肥ノズル３４とが共通の回動支点軸３７を支点に回動して施肥深さを変えることができるようになっている。
【００１９】
上記のように構成されているので、肥料タンク１４，１５からのペースト肥料は施肥ポンプで圧送され、インジケータ１６、１７を経て植付部９の各植付け条に設けた施肥ノズル２０から土中に施肥される。
【００２０】
そして、畦際等において、所望する植付け条を条止めしたときには、インジケータ１６、１７の切替えレバー２３、２４を条止め操作することにより、戻し肥料が戻しパイプ２５、２６を経て左右の肥料タンク１４、１５に還流するが、上記戻しパイプ２５、２６が戻し配管２７、２８に左右交互に連結されているので、戻しパイプ２５、２６からの戻し肥料を左右の肥料タンク１４、１５に振り分け還流させることができて、左右の肥料タンク１４，１５の肥料残量を略均一にすることができる。
【００２１】
【発明の効果】
これを要するに本発明は、  左右の肥料タンクからの肥料を、インジケータを経て各植付け条に設けた施肥ノズルに案内するようにした施肥移植機であって、上記インジケータには、条止めした際の肥料の戻しパイプを各植付け条毎に設けると共に、上記戻しパイプを、左右の施肥タンクに左右交互に配管して条止めした際の肥料を左右の施肥タンクに振り分け還流させることから、左右の肥料タンクからの肥料を、各植付け条に設けた施肥ノズルで施肥するものでありながら、所望する植付け条を条止めした際には、左右の施肥タンクに左右交互に配管した戻しパイプによって条止めした際の肥料が左右の施肥タンクに振り分け還流されるので、左右の施肥タンク内の肥料残量を略均一にすることができる。
【００２２】
このため、作業途中で一方の施肥タンクのみが空になって肥料を補給するような不都合の発生を可及的に少くすることができる。
【図面の簡単な説明】
【図１】施肥作業機の全体平面図である。
【図２】インジケータの戻し配管を示す後視図である。
【図３】機体の前部に設けた強度部材の斜視図である。
【図４】（イ） 二段施肥ノズルと側条施肥ノズルとを設けたフロートの平面図である。（ロ） 同上側面図である。
（ハ） 二段施肥ノズルと側条施肥ノズルの回動軸を示す平面図である。
【図５】畦際回行に条止めした状態の説明図である。
【図６】（イ）インジケータの斜視図である。
（ロ）戻し配管の従来例を示す正面図である。
【符号の説明】
１４        左肥料タンク
１５        右肥料タンク
１６        インジケータ
１７        インジケータ
２０        施肥ノズル
２５        戻しパイプ
２６        戻しパイプ
【図１】
0004610814.tif 000002
【図２】
0004610814.tif 000003
【図３】
0004610814.tif 000004
【図４】
0004610814.tif 000005
【図５】
0004610814.tif 000006
【図６】
0004610814.tif 000007